(57)【要約】【課題】温水の熱源を利用して、温風を吹出口から送出するとともに、前面パネルから遠赤外線を周囲に放射することのできる温水暖房機を提供する。【解決手段】後部パネル１と前面パネル２とからなる本体内を前後に区画するように設けられた仕切板３の前方に、裏面に蛇行状の加熱管１０を貼着あるいは密着させた放射板９を設け、温水流入管１４から分岐し、電磁開閉弁１６を備えた第一分岐管１４ａを前記加熱管１０の一端に接続し、温水流出管１５から分岐した第二分岐管１５ａを前記加熱管１０の他端に接続し、前記電磁開閉弁１６を開放して高温の温水を前記加熱管１０に流入させ前記放射板１０を加熱することにより、同放射板１０から前記前面パネル２に穿設された放射孔２ａを介して遠赤外線を放射させる。【選択図】  図１
2004176995.tif 000002
【特許請求の範囲】
【請求項１】
背面上部に吸込口を、前面下部に吹出口を夫々設け、前記吸込口と前記吹出口とを結ぶ空気通路に、前記吸込口に臨むように、吸込まれた空気を加熱する放熱器と、加熱された空気を前記吹出口から室内に送出する送風ファンとを設けるとともに、前面と前記放熱器との間に仕切板を設けてなる室内機と、同室内機の前記放熱器に温水流入管と温水流出管とを介して、温水を供給する室外機とで構成される温水暖房機において、
前記室内機の前面に複数の放射孔を穿設するとともに、室内機前面と前記仕切板との間に蛇行状の加熱管を密着させた放射板を設け、前記加熱管の一端を、前記温水流入管から分岐させ電磁開閉弁を設けた第一分岐管に接続し、他端を前記温水流出管から分岐させた第二分岐管に接続してなり、前記放熱器で加熱された温風を前記吹出口から室内に送出するとともに、前記第一分岐管に設けられた電磁開閉弁を開放し、温水を前記温水流入管から前記加熱管に導びいて前記放射板を加熱し、同放射板からの輻射熱を前記放射孔から前方に輻射してなることを特徴とする温水暖房機。
【請求項２】
前記放射板が、所定の温度に達すると遠赤外線を放射するセラミックス材、あるいはセラミックコーティングを施したアルミ板からなることを特徴とする請求項１に記載のファンコンベクタ。
【請求項３】
前記放射板が、所定の温度に達すると遠赤外線を放射するアルミ板からなることを特徴とする請求項１に記載のファンコンベクタ。
【請求項４】
前記放射板が、所定の温度に達すると遠赤外線を放射するアルマイト処理を施したアルミ板からなることを特徴とする請求項３に記載のファンコンベクタ。
【請求項５】
前記放射板が、表面に遠赤外線放射塗料を塗布したアルミ板からなることを特徴とする請求項３に記載のファンコンベクタ。
【請求項６】
前記第一分岐管に設けられた電磁開閉弁を開放し前記放射板から輻射熱を放射する際、前記送風ファンを停止させ前記吹出口からの温風の吹出しを中断してなることを特徴とする請求項１に記載の温水暖房機。
【請求項７】
前記加熱管が前記放射板の裏面に、ろう付けあるいは取付具により固定されてなることを特徴とする請求項１に記載の温水暖房機。
【請求項８】
前記放射板を後方に傾斜させるとともに、前記仕切板と本体前面との間に開閉板を備えた流入孔を穿設し、前記開閉板により前記流入孔を開放する一方、前記吹出口に備えられた上下風向偏向板により同吹出口を閉塞し、前記送風ファンから送出された温風を前記流入孔を介して前記放射板側に導びくとともに、これの周縁を通過させて前記放射孔から室内に送出してなることを特徴とする請求項１に記載の温水暖房機。
【発明の詳細な説明】
【０００１】
【発明の属する技術分野】
本発明は、温水暖房機に関わり、より詳細には、温水の熱を利用して前面パネルから輻射熱を輻射できるようにした構成に関する。
【０００２】
【従来の技術】
従来の温水暖房機は、例えば図３で示すように、前面が開放された後部パネルと、これに装着される後面が開放された前面パネルとで本体を構成し、同本体の背面上部に吸込口３１を、前面下部に上下風向偏向板３２ａと左右風向偏向板３２ｂとを備えた吹出口３２を設けている。前記吸込口３１と前記吹出口３２とを結ぶ空気通路には、温水が循環する放熱器３３と、その下流側には送風ファン３４とが設けられており、前記放熱器３３は本体を介して室外に設置された室外機と配管にて接続されている。（特許文献１参照）
【０００３】
前記室外機には、前記温水暖房機に備えられた前記放熱器３３との間で循環する温水を加熱する燃焼装置が備えられており、同燃焼装置により加熱された温水が前記放熱器３３に送出されると、前記吸込口３１から吸込まれた空気と熱交換を行い、これを加熱するようになっている。加熱された空気は前記送風ファン３４により前記吹出口３２から温風となって室内に送出されるようになっている。
【０００４】
しかしながら、室内を暖房するのは前記吹出口３２から送出される温風に限定され、また前記放熱器３１での温水と吸込まれた空気との間で行われる熱交換効率には限界があり、温水の熱エネルギを充分に有効利用できる改善が求められていた。
【０００５】
【特許文献１】
特開２０００−０１８６２８号
【０００６】
【発明が解決しようとする課題】
本発明は上記問題点に鑑み、室外機から送出されてくる温水の熱エネルギの利用率を高めて、暖房効果を向上させた温水暖房機を提供することを目的とする。
【０００７】
【課題を解決するための手段】
本発明は上記課題を解決するため、背面上部に吸込口を、前面下部に吹出口を夫々設け、前記吸込口と前記吹出口とを結ぶ空気通路に、前記吸込口に臨むように、吸込まれた空気を加熱する放熱器と、加熱された空気を前記吹出口から室内に送出する送風ファンとを設けるとともに、前面と前記放熱器との間に仕切板を設けてなる室内機と、同室内機の前記放熱器に温水流入管と温水流出管とを介して、温水を供給する室外機とで構成される温水暖房機において、
前記室内機の前面に複数の放射孔を穿設するとともに、室内機前面と前記仕切板との間に蛇行状の加熱管を密着させた放射板を設け、前記加熱管の一端を、前記温水流入管から分岐させ電磁開閉弁を設けた第一分岐管に接続し、他端を前記温水流出管から分岐させた第二分岐管に接続してなり、前記放熱器で加熱された温風を前記吹出口から室内に送出するとともに、前記第一分岐管に設けられた電磁開閉弁を開放し、温水を前記温水流入管から前記加熱管に導びいて前記放射板を加熱し、同放射板からの輻射熱を前記放射孔から前方に輻射してなる構成となっている。
【０００８】
また、前記放射板が、所定の温度に達すると遠赤外線を放射するセラミックス材、あるいはセラミックコーティングを施したアルミ板からなる構成となっている。
【０００９】
また、前記放射板が、所定の温度に達すると遠赤外線を放射するアルミ板からなる構成となっている。
【００１０】
また、前記放射板が、所定の温度に達すると遠赤外線を放射するアルマイト処理を施したアルミ板からなる構成となっている。
【００１１】
また、前記放射板が、表面に遠赤外線放射塗料を塗布したアルミ板からなる構成となっている。
【００１２】
また、前記第一分岐管に設けられた電磁開閉弁を開放し前記放射板から輻射熱を放射する際、前記送風ファンを停止させ前記吹出口からの温風の吹出しを中断してなる構成となっている。
【００１３】
また、前記加熱管が前記放射板の裏面に、ろう付けあるいは取付具により固定されてなる構成となっている。
【００１４】
また、前記放射板を後方に傾斜させるとともに、前記仕切板と本体前面との間に開閉板を備えた流入孔を穿設し、前記開閉板により前記流入孔を開放する一方、前記吹出口に備えられた上下風向偏向板により同吹出口を閉塞し、前記送風ファンから送出された温風を前記流入孔を介して前記放射板側に導びくとともに、これの周縁を通過させて前記放射孔から室内に送出してなる構成となっている。
【００１５】
【発明の実施の形態】
以下、本発明の実施の形態を、添付図面に基づいた実施例として詳細に説明する。
図１は本発明による第一実施例を示す断面図であり、図２は第二実施例を示す断面図である。
本発明による温水暖房機の第一実施例は、図１で示すように、前面が開放された後部パネル１と、同後部パネル１に枠体を介して装着される後面が開放された前面パネル２とで室内機を構成し、これをベース４により床面上に支持している。室内機本体の背面上部には複数の横桟により吸込口５が形成され、前面下部には、送出される温風を左右方向に偏向する複数の左右風向偏向板６ｂと、上下方向に偏向する複数の上下風向偏向板６ａとを後方から順次配設した吹出口６が形成され、前記吸込口５の裏面には吸込まれた空気に含有された塵埃を除去する不織布からなるフィルター５ａが着脱自在に装着されている。また前記吹出口６に備えられた前記上下風向偏向板６ａは送出される温風を上下に偏向する一方、垂直状態まで回動すると同吹出口６を閉鎖することができるようになっている。
【００１６】
前記吸込口５と前記吹出口６とを結ぶ空気通路には、前記吸込口５に臨むように、並設された多数のフィンと、同フィンに直交するように蛇行状に配設された伝熱管とからなる放熱器７が設けられ、同放熱器７の下流側には前記吹出口６から温風を送出する送風ファン８が設けられており、また前面パネル２と前記放熱器７の間には、前記吹出口６の上端縁に至るクランク状に形成された仕切板３が前記本体内を前後に区画するように設けられている。前記伝熱管に連結され前記放熱器７から導出された温水流入管１４と温水流出管１５とは室内機本体の背面に設けられた接続部１３を介して、温水を供給する温水供給チューブ１１と温水が流出される温水流出チューブ１２とに夫々接続されており、前記温水供給チューブ１１と前記温水流出チューブ１２とは室内の壁面に設置された温水コンセントを介して室外に設置された室外機２０と接続されている。同室外機２０で加熱された温水は前記温水供給チューブ１１から前記放熱器７に供給され、同放熱器７で熱交換により低温となった温水は前記温水流出チューブ１２を介して前記室外機２０に送られ再び加熱されるようになっている。
【００１７】
前記前面パネル２と前記仕切板３との間には、セラミックス材あるいはセラミックコーティングを施した鋼板からなり、所定の温度に達すると表面から遠赤外線を放射する放射板９が上下に渡り設けられており、同放射板９は加熱されて約６０℃前後の所定の温度に達すると表面から波長が４μｍ〜１ｍｍの範囲の遠赤外線を前方に放射するようになっている。また前記放射板９の材質は、所定の温度に達すると遠赤外線を放射するアルミ板、あるいは表面に酸化皮膜を生成させ所定の温度に達すると遠赤外線を放射するアルマイト処理を施したアルミ板、あるいは表面に遠赤外線放射塗料を塗布したアルミ板に代替させることもできる。前記放射板９の裏面には、熱伝導率の高い銅材からなり蛇行状に形成された加熱管１０がろう付けあるいは取付具を用いて固定されており、同加熱管１０の一端は前記温水流入管１４から分岐し、電磁開閉弁１６を備えた第一分岐管１４ａに接続され、他端は前記温水流出管１５から分岐した第二分岐管１５ａに夫々接続されている。また、前記前面パネル２には前記放射板９に対向するように、放射された遠赤外線が通過するよう円形状の放射孔２ａが複数穿設されている。
【００１８】
次に、動作について説明する。前記加熱管１０と前記温水流入管１４とを結ぶ前記第一分岐管１４ａに備えられた電磁開閉弁１６は操作部あるいはリモートコントローラの操作により開閉動作を行い、通常時は閉鎖されているものとする。前記室外機から前記温水供給チューブ１１及び温水流入管１４を介して前記放熱器７に温水が供給されると、前記吸込口５から吸込まれた空気は温水と熱交換を行い加熱されて温風となり、前記送風ファン８により前記吹出口６から室内に送出されるようになっている。
【００１９】
操作部あるいはリモートコントローラの操作により前記電磁開閉弁１６を開放すると、約８０℃の高温の温水が前記温水流入管１４から前記第一分岐管１４ａを介して前記加熱管１０内に流入し、前記放射板９を加熱しつつ低温となって前記第二分岐管１５ａから温水流出管１５に流出していくようになっている。加熱された放射板９が約６０℃前後の所定の温度に達すると同放射板９の表面から波長が４μｍ〜１ｍｍの範囲の遠赤外線が前面パネル２に穿設された前記放射孔２ａから前面に向け放射され、遠赤外線により近隣にいる人が直接暖をとれるようになっている。これにより温水の熱エネルギを温風と放射熱あるいは輻射熱に効率的に変換して室内の暖房を行えるようになっている。
【００２０】
また、前記放射板９から輻射熱を放射した状態で前記送風ファン８を停止させ前記吹出口６からの温風の吹出しを中断させると輻射熱のみの暖をとれるようになっている。
【００２１】
次に、第二実施例について説明する。第二実施例は、図２で示すように、概略第一実施例と同様であり相違する点は、裏面に前記加熱管１０を密着させた放射板１０を後方に傾斜させている。また、仕切板１７の下部であり前方に折曲された底面部には前記送風ファン８から送出された温風が前記放射板１８に向かい流入する流入孔１７ａが穿設されるとともに、同流入孔１７ａを開閉する開閉板１７ａが設けられている。
【００２２】
前記電磁開閉弁１６を開放して前記加熱管１０に高温の温水を流入させ、前記開閉板１９を開放するとともに、前記送風ファン８を低速運転に切換える。また前記吹出口６に備えられた前記上下風向偏向板６ａを垂直状態に回動させ同吹出口６を閉鎖する。前記吸込口５から吸込まれ前記放熱器７により加熱された空気は前記仕切板１７の流入孔１７ａから上方に向かい流入し、前記放射板１８の周縁を介して前記前面パネル２に穿設された放射孔２ａから微温風となって周囲に送出されるようになっている。また加熱された前記放射板１８からも遠赤外線が併せて輻射され周囲の暖房を行うようになっている。
【００２３】
【発明の効果】
以上説明したように、本発明によると、前面パネルと放熱器との間に設けられた仕切板の前方に、裏面に蛇行状の加熱管を貼着あるいは密着させた放射板を設け、前記加熱管に温水を循環させ前記放射板から遠赤外線を前面に向かい放射することにより温水の熱エネルギを温風と放射熱あるいは輻射熱に効率的に変換させ暖房効果を向上させた温水暖房機とすることができる。
【図面の簡単な説明】
【図１】本発明の温水暖房機による第一実施例を示す断面図である。
【図２】本発明の温水暖房機による第二実施例を示す断面図である。
【図３】従来例による温水暖房機を示す断面図である。
【符号の説明】
１  後部パネル
２  前面パネル
２ａ  放射孔
３  仕切板
４  ベース
５  吸込口
５ａ  フィルター
６  吹出口
６ａ  上下風向偏向板
６ｂ  左右風向偏向板
７  放熱器
８  送風ファン
９  放射板
１０  加熱管
１１  温水供給チューブ
１２  温水流出チューブ
１３  接続部
１４  温水流入管
１４ａ  第一分岐管
１５  温水流出管
１５ａ  第二分岐管
１６  電磁開閉弁
１７  仕切板
１７ａ  流入孔
１８  放射板
１８ａ  流出孔
１９  開閉板
【図１】
2004176995.tif 000003
【図２】
2004176995.tif 000004
【図３】
2004176995.tif 000005